(57)【要約】【課題】捕捉部を犯人等に押し付けた場合に犯人等が捕捉部を掴んで振り回すことの難しい捕捉器具を提供する。また、力の弱い者でも容易に用いることができる捕捉器具を提供する。【解決手段】本発明の捕捉器具１００は、棒状の軸部１１０と、軸部１１０の先端に設けられた湾曲形状を有する捕捉部１２０とを有する。捕捉部１２０と、この捕捉部１２０の近傍の軸部１１０の外面上には多数の突起１１１ａ，１２１ａ，１２１ｂ，１２２ａが形成されている。また、軸部１１０には催涙スプレー等の放射装置１１３が取り付けられている。また、軸部１１０の後端側には把持部１１４及び１１５が形成されている。【選択図】　　　　　図１
2004028560.tif 000002
【特許請求の範囲】
【請求項１】
棒状の軸部の先端に湾曲した形状を備えた捕捉部を設けた捕捉器具において、前記捕捉部の外面上及び前記捕捉部近傍の前記軸部の外面上に多数の突起が設けられていることを特徴とする捕捉器具。
【請求項２】
前記突起として、前記捕捉部の湾曲形状の内側にある外面部分を除く外面部分には外側突起が設けられ、前記捕捉部の湾曲形状の内側にある外面部分には前記外側突起よりも丸い先端形状を有する内側突起が設けられていることを特徴とする請求項１に記載の捕捉器具。
【請求項３】
前記突起には、可撓性の筒材が圧入されていることを特徴とする請求項１に記載の捕捉器具。
【請求項４】
前記筒材は、透光性を有することを特徴とする請求項３に記載の捕捉器具。
【請求項５】
前記筒材は、前記突起の長さよりやや短い長さを有し、前記筒材の先端が前記突起の先端よりも突出した状態で取り付けられ、前記突起の根元側に向けて移動可能に構成されていることを特徴とする請求項３又は請求項４に記載の捕捉器具。
【請求項６】
前記筒材は、前記筒材の先端が前記突起の先端よりも突出した状態で取り付けられ、前記突起の根元方向に応力を受けることにより前記突起の長さ方向に短縮可能に構成されていることを特徴とする請求項３又は請求項４に記載の捕捉器具。
【請求項７】
前記軸部の中途部位には、前記捕捉部の湾曲した形状が含まれる平面を水平に配置した場合に前記捕捉部の上方位置に放射方向が向くように、前記軸部の軸線方向に対して傾斜した姿勢で取り付けられた放射装置が設けられていることを特徴とする請求項１乃至請求項６のいずれか１項に記載の捕捉器具。
【請求項８】
前記軸部の後端側に重心を有するように構成されていることを特徴とする請求項１乃至請求項７のいずれか１項に記載の捕捉器具。
【発明の詳細な説明】
【発明の属する技術分野】
本発明は捕捉器具に係り、特に、軸部の先端に湾曲した捕捉部を備えた形状を有する捕捉器具に関する。
【０００１】
【従来の技術】
一般に、犯罪者等を取り押さえるための器具として、古くは刺又（さすまた）と呼ばれていた捕捉器具が知られている。この捕捉器具は、棒状の軸部の先端に湾曲した捕捉部を設けたものである。捕捉部は先端側に向けて湾曲した形状を有している。多くの場合、このような捕捉器具は、湾曲した捕捉部で刃物等を把持した犯人の腕を押し上げたり、犯人の胴部を押え付けて身動きができないようにしたりするために用いられる。捕捉部は通常金属製のパイプ等で構成されるが、捕捉時に犯人を傷付けないように、捕捉部の外面を比較的柔らかな素材で包み込むように構成したものも知られている。
【０００２】
【発明が解決しようとする課題】
しかしながら、上記の刺又タイプの捕捉器具においては致命的な問題点がある。それは、捕捉部で犯人等の胴部を押え付けた場合に、犯人等が湾曲した捕捉部やこの捕捉部近傍の軸部を掴み、捕捉器具を回転させたり振り回したりすることが可能であるため、犯人等を確実に捕捉することが難しいという点である。極端な場合には捕捉器具が振り回された結果、犯人に捕捉器具が奪い取られてしまうときもある。特に、比較的体力のない者（女性や高齢者など）が捕捉器具を用いる場合には、犯人等を押え付けることがきわめて難しい。
【０００３】
そこで本発明は上記問題点を解決するものであり、その課題は、捕捉部を犯人等に押し付けた場合に犯人等が捕捉部を掴んで振り回すことの難しい捕捉器具を提供することにある。また、力の弱い者でも容易に用いることができる捕捉器具を提供することにある。
【０００４】
【課題を解決するための手段】
上記課題を解決するために本発明の捕捉器具は、棒状の軸部の先端に湾曲した形状を備えた捕捉部を設けた捕捉器具において、前記捕捉部の外面上及び前記捕捉部近傍の前記軸部の外面上に多数の突起が設けられていることを特徴とする。
【０００５】
この発明によれば、捕捉部の外面上に多数の突起が設けられていることにより、犯人等に捕捉部を押し付けたときに、犯人等が捕捉部を強く掴むことが難しくなるので、捕捉器具が犯人等によって振り回されることを低減できる。また、捕捉部の近傍の軸部に多数の突起が設けられていることにより、犯人等に捕捉部を押し付けたときに、犯人等が捕捉部の近傍の軸部を強く掴むことが難しくなるので、捕捉器具が犯人等によって振り回されることを低減できる。特に、捕捉部とその近傍の軸部の双方に突起が設けられていることによって、犯人等の抵抗を大幅に弱めることができる。なお、上記突起は、捕捉部の湾曲形状の内側にある外面部分以外の外面部分に少なくとも設けられていればよい。また、上記突起は、その形成範囲にほぼ均一な密度で配設されていることが望ましい。
【０００６】
本発明において、前記突起として、前記捕捉部の湾曲形状の内側にある外面部分を除く外面部分には外側突起が設けられ、前記捕捉部の湾曲形状の内側にある外面部分には前記外側突起よりも丸い先端形状を有する内側突起が設けられていることが好ましい。捕捉部の内側に突出する内側突起が設けられていることにより、捕捉部を犯人等に押し付けたときに内側突起が犯人等の体に食い込むこととなるため、犯人が抵抗すると苦痛を与えることができるとともに、内側突起が視認されることで犯人の反抗意欲を削ぐことができる。また、この内側突起の先端形状は外側突起よりも丸く形成されているため、犯人に危害を与える危険性を低減できる。
【０００７】
本発明において、前記突起には、可撓性の筒材が圧入されていることが好ましい。突起に可撓性の筒材が圧入されていることによって、突起が犯人等の皮膚に食い込む長さを実質的に制限することができる。
【０００８】
本発明において、前記筒材は、透光性を有することが好ましい。筒材が透光性を有することにより、筒材を通して内部の突起を視認することができるため、犯人等に危険性を知らせることが可能になり、無用な抵抗を回避できるといった効果が期待できる。
【０００９】
本発明において、前記筒材は、前記突起の長さよりやや短い長さを有し、前記筒材の先端が前記突起の先端よりも突出した状態で取り付けられ、前記突起の根元側に向けて移動可能に構成されていることが好ましい。筒材の先端が突起の先端よりも突出した状態で取り付けられていることにより、突起の先端が筒材よりも突出していないために不測の事故を防止することができる。また、この状態で捕捉器具を犯人等が握り締めると筒材が突起の根元側に向けて移動して突起の先端が突出するように構成できるので、犯人等が捕捉器具を強く握り締めることを防止できる。また、このときの突起の先端が筒材から突出する量を予め設定しておくことにより、犯人等に必要以上の危害を加えないように構成できる。
【００１０】
ここで、前記筒材と前記突起とは互いに軸線方向に凹凸構造により係合保持されていることが好ましい。これによって、突起に対する筒材の軸線方向の装着位置を確実に保持することが可能になるため、意図しない外力によって筒材が突起から外れてしまったり突起の先端が筒材から飛び出てしまったりすることを防止できる。この場合において、筒材と突起の軸線方向の係合保持構造は、犯人などの把持によって解除され得るように構成される。たとえば、筒材と突起とが径方向の凹凸構造によって軸線方向に係合保持されている場合、把持力に基づいて可撓性を有する筒材が変形することによって保持状態が解除されて筒材が移動し、突起の先端が露出するように構成する。なお、筒材と突起の軸線方向の係合保持構造としては、例えば、筒材の径方向内側に突出した突出部と、突起の外周に形成された凹みとが相互に嵌合する構造が挙げられる。
【００１１】
さらに、前記筒材は、前記筒材の先端が前記突起の先端よりも突出した状態で取り付けられ、前記突起の根元方向に応力を受けることにより前記突起の長さ方向に短縮可能に構成されていることが好ましい。筒材の先端が突起の先端よりも突出した状態で取り付けられていることにより、突起の先端が筒材よりも突出していないために不測の事故を防止することができる。また、この状態で捕捉器具を犯人等が握り締めると筒材に突起の根元側に向けた応力が加わるために筒材が短縮して突起の先端が突出するように構成できるので、犯人等が捕捉器具を強く握り締めることを防止できる。また、このときの突起の先端が筒材から突出する量を予め設定しておくことにより、犯人等に必要以上の危害を加えないように構成できる。ここで、筒材は、突起の根元側にある部分が変形することにより短縮可能に構成されていることが望ましい。
【００１２】
ここで、前記筒材は、その軸線方向における中間部分が変形することにより軸線方向に短縮可能に構成されていることが好ましい。これにより、筒材が突起の根元側に移動する際の移動部分が上記中間部分より先端側の部分に限定されるので、筒材と突起との間の摩擦抵抗が低減される。したがって、より小さな応力で確実に突起の先端を筒材から突出させることができる。
【００１３】
この場合において、前記筒材は、その中間部分よりも根元側にある基端側部分の突起に対する装着圧力が、その中間部分より先端側にある先端側部分の突起に対する装着圧力よりも大きくなるように構成されていることが好ましい。ここで、筒材の基端側部分は突起に圧入されているが、筒材の先端側部分は突起に対して隙間を有するように挿入されていてもよい。また、たとえば、筒材に接触する範囲において突起の形状が実質的に軸線方向に見て断面形状が不変となるように構成されている場合には、筒材は、その中間部分を挟んで先端側部分の内径が根元側の基端側部分の内径より大きくなるように構成される。このようにすると、前記筒材の装着圧力が、前記突起の根元側では強くなるとともに、前記突起の先端側では弱くなる。これにより、突起の先端をより小さな応力で確実に筒材から突出させることができると同時に、筒材をより確実に突起に保持することができ、突起から外れ難くすることができる。
【００１４】
また、棒状の軸部の先端に湾曲した形状を備えた捕捉部を設けた捕捉器具において、前記軸部の中途部位には、前記捕捉部の湾曲した形状が含まれる平面を水平に配置した場合に前記捕捉部の上方位置に放射方向が向くように、前記軸部の軸線方向に対して傾斜した姿勢で取り付けられた放射装置が設けられていることが好ましい。この放射装置によって犯人等を威嚇し、犯人等の抵抗を弱めることができる。特に、放射装置が捕捉部の上方位置に放射方向が向くように傾斜姿勢で取り付けられていることにより、効果的に放射装置を用いることが可能になる。
【００１５】
さらに、棒状の軸部の先端に湾曲した形状を備えた捕捉部を設けた捕捉器具において、前記軸部の後端側に重心を有するように構成されていることが好ましい。これによって使用者が捕捉器具を軽く扱うことができるようになる。特に捕捉部が設けられていることによって通常は先端側が重くなり、捕捉部を持ち上げることが難しくなるが、軸部の後端側に重心を有することにより、力の弱い者（女性や高齢者など）であっても容易に取り扱うことができる。
【００１６】
【発明の実施の形態】
次に、添付図面を参照して本発明に係る捕捉器具の実施形態について詳細に説明する。図１は本発明に係る捕捉器具１００の全体構成を示す平面図である。この捕捉器具１００は、棒状の軸部１１０と、この軸部１１０の先端に設けられた湾曲形状の捕捉部１２０とを有する。捕捉部１２０は、先端側に向けて開き、先端側に向けて湾曲した、Ｕ字状或いは円弧状に形成されている。
【００１７】
軸部１１０には、捕捉部１２０側の先端側部分１１０Ａと、後端側部分１１０Ｂとが設けられ、先端側部分１１０Ａの外面には多数の突起を構成するピン１１１が取り付けられている。このピン１１１は、より具体的には、軸部１１０を貫通して両端が相互に反対側に突出する状態とされる。ピン１１１は、この状態で止め輪（ストップリング）を挿嵌することなどによって軸部１１０に対して固定されている。このピン１１１の両端部により軸部１１０の外面上から突出する突起１１１ａが形成される。
【００１８】
後端側部分１１０Ｂには、取付具１１２を介して放射装置１１３が着脱可能に取り付けられている。この取付具１１２は合成樹脂等で構成されたものであることが好ましく、また、放射装置１１３を嵌合（スナップ係合）等によって着脱可能に取り付けるものであることが好ましい。この放射装置１１３は、図４にも示すように、本実施形態においては、操作部１１３ａと、光照射部１１３ｂと、噴射部１１３ｃとを有する。そして、操作部１１３ａを操作すると光照射部１１３ｂから光が放出され、さらに操作部１１３ａを操作するとブザー音（警報音）が発生し、さらに操作部１１３ａを操作すると噴射部１１３ｃから催涙剤（ガス、液、粉体等）が噴射されるように構成されている。放射装置１１３としては、光、音、気体、液体、粉体等の犯人に対して何らかの作用をなすものを放射するものであれば如何なるものであってもよいが、犯人の反抗を妨げる効果を有するもの、例えば、催涙効果、幻惑効果、その他の刺激などを適度に犯人に与えることによって犯人が反抗する意欲を失わせるに足るものであることが好ましい。
【００１９】
さらに軸部１１０の後端側部分１１０Ｂには、軸部１１０に対してほぼ直角に取り付けられた棒状の把持部１１４が設けられている。また、この把持部１１４に対してある程度（好ましくは一般的な大人の腰幅以上、腰幅の１．５倍以下の範囲内）の間隔を持って軸部１１０の後方に把持部１１５が設けられている。この把持部１１５は、図示例では軸部１１０の後端に閉曲線状（三角形状）に構成されている。
【００２０】
また、把持部１１５の内部には錘１１６が内蔵されている。この錘１１６は、捕捉器具１００の重心を軸部１１０の後端側、すなわち、軸部１１０の中心部（例えば先端側部分１１０Ａと後端側部分１１０Ｂとの境界部）か、或いは、後端側部分１１０Ｂ（例えば後端側部分１１０Ｂの中央部位付近）に配置させるためのものである。これによって、捕捉器具１００が捕捉部１２０の重さによって操作しにくくなったり、先端の捕捉部１２０を持ち上げるのに大きな腕力を要したりといった事態を回避することができ、操作感をきわめて軽くすることができる。
【００２１】
一方、捕捉部１２０には、湾曲形状の内側から外側に貫通するように設けられたピン１２１と、湾曲形状が含まれる平面と直交する方向に貫通するように設けられたピン１２２とが取り付けられている。ピン１２１の外端部により構成される外側突起１２１ａは上記ピン１１１の両端と同様に比較的鋭利な先端を有するが、ピン１２１により構成される内側突起１２１ｂはそれよりも丸い形状の先端を有している。また、ピン１２２の両端部はいずれも外側突起１２１ａと同様の比較的鋭利な先端を有している。したがって、捕捉部１２０には、湾曲形状の外側や上下方向に突出する比較的鋭利な外側突起１２１ａ，１２２ａと、湾曲形状の内側に突出する丸い形状の内側突起１２１ｂとが設けられていることとなる。
なお、これらのピン１２１，１２２は上記ピン１１１と同様に止め輪などによって捕捉部１２０に固定されている。
【００２２】
図２は、上記ピン１１１，１２１，１２２によって構成された突起、特に外側突起１１１ａ，１２１ａ，１２２ａに、筒材１３１を装着した状態を示す概略斜視図である。筒材１３１は可撓性の素材、例えば軟質プラスチック（ウレタン樹脂や発泡樹脂など）、ゴム、アクリル樹脂などで構成され、上記突起に圧入される。また、筒材１３１は内側にある突起が視認できるように透光性を有する素材（すなわち透明素材や半透明素材）で構成されていることが好ましい。筒材１３１は好ましくは図示のように円筒状に構成される。筒材１３１の長さは突起の長さよりもやや短いことが好ましい。
【００２３】
図２の左側の図は装着時の状態を示す。装着時においては、筒材１３１は突起（外側突起）１１１ａ，１２１ａ，１２２ａの根元まで完全には挿入されておらず、また、筒材１３１の先端は突起１１１ａ，１２１ａ，１２２ａの先端よりも突出した状態となっている。このときの筒材１３１の先端が突起１１１ａ，１２１ａ，１２２ａの先端よりも突出している量は、０〜７ｍｍ程度であることが好ましい。筒材の突出量がこの範囲よりも大きいと、強く握ったときに筒材１３１の先端が折れて突起１１１ａ，１２１ａ，１２２ａの根元に向けて押し込まれなくなるといった事態が生じ易くなり、また、突出量が上記範囲を下回る（マイナスになる）と、強く握っても筒材１３１が突起１１１ａ，１２１ａ，１２２ａの根元に向けて押し込まれ難くなるとともに、最初から突起１１１ａ，１２１ａ，１２２ａが筒材１３１より突出していることとなるので、筒材１３１を設けた意味がなくなるからである。これによって、突起１１１ａ，１２１ａ，１２２ａが設けられた軸部１１０や捕捉部１２０を軽く掴んでも、直ちに突起１１１ａ，１２１ａ，１２２ａの先端が手などに突き刺さることはない。
【００２４】
しかしながら、突起が設けられた軸部１１０や捕捉部１２０を強く掴むと、図２の右側の図に示すように、筒材１３１が押し込まれ、筒材１３１が突起の根元まで深く挿入された状態となる。このとき、筒材１３１の先端からは突起の先端が僅かに突出した状態となり、把持した手などに軽く突き刺さるようになっている。このときの突起の筒材１３１からの突出量は５〜１０ｍｍ程度であることが好ましい。突出量がこの範囲であれば、犯人が強く掴むことを嫌がる程度に突起が犯人の手に食い込むものの、犯人の手にその突出量以上深く突き刺さりにくくなるので、犯人に必要以上の大きな負傷を与えることが防止される。
【００２５】
図３（ａ）には、上記とは異なる筒材１３３と突起（外側突起）１１１ａ′，１２１ａ′，１２２ａ′の形状とをそれぞれ示す。この筒材１３３には、突起に密着する内周部から内側に環状に突出した突出部１３３ａが形成されている。より具体的には、突出部１３３ａは、筒材１３３の基端側の端縁に形成されている。一方、突起１１１ａ′，１２１ａ′，１２２ａ′には、筒材１３３の装着時において筒材１３３の突出部１３３ａに対向する部分に環状の凹み１４０が形成されている。そして、筒材１３３の突出部１３３ａと突起の凹み１４０は互いに嵌合可能に構成されている。したがって、図３（ｂ）に示すように、筒材１３３を突起に装着すると、突出部１３３ａが凹み１４０に嵌合し、筒材１３３の装着位置（筒材１３３の内部に突起の先端が収容される位置）が保持される。このため、意図しない外力により、筒材１３３が突起から外れたり、突起の根元まで移動して突起の先端が器具の使用時以外の時に露出したりすることが防止される。この場合、突出部１３３ａが筒材１３３の端縁に形成されていることにより、筒材１３３の成形加工が容易になるとともに、突出部１３３ａ及びその周辺が変形しやすくなるため、筒材１３３と突起１１１ａ′，１２１ａ′，１２２ａ′との間の係合保持状態が解除されやすくなり、意図的に筒材を取り外すことが容易になるとともに、犯人が把持したときに確実に筒材が押し込まれて突起１１１ａ′，１２１ａ′，１２２ａ′の先端が露出するように構成できる。
なお、筒材と突起とは軸線方向に係合保持されていればよいので、上記とは逆に、筒材に凹溝を形成し、突起に突出部を設けてもよい。また、突起に突出部を設けるだけでも、筒材はその突出部に対応して変形した状態となり、軸線方向に軽く係合保持されるため、その位置決め効果は得られる。
【００２６】
図４には、上記とは異なる筒材１３２の断面構造を示す。この筒材１３２は、突起１１１ａ，１２１ａ，１２２ａに対して根元まで挿通された状態で装着される。筒材１３２には、突起１１１ａ，１２１ａ，１２２ａに密着した状態となる筒状部１３２ａと、その長さ方向（軸線方向）に短縮するように変形可能に構成された変形部１３２ｂとが設けられている。外部から応力を受けない常態においては図４の左側の図に示すように変形部１３２ｂが伸びていて、筒材１３２の先端は突起１１１ａ，１２１ａ，１２２ａの先端よりやや突出した状態となっている。ここで、上記と同様に器具が掴まれると、筒材１３２の先端に突起１１１ａ，１２１ａ，１２２ａの根元側に向けた応力が加わるため、変形部１３２ｂが変形して筒材１３２が短縮するので、図３の右側の図に示すように筒材１３２の先端が突起１１１ａ，１２１ａ，１２２ａの根元側に移動し、その結果、上記と同様に筒材１３２の先端から突起１１１ａ，１２１ａ，１２２ａの先端が突出した状態となる。なお、上記筒材１３２は変形部１３２ｂの変形によって短縮可能に構成されているが、入れ子構造により短縮可能に構成されるなどの他の構造であっても、結果的に応力が加わると短縮するように構成されていればよい。
【００２７】
また、図５（ａ）に示すように、変形部１３２ｂは筒材１３２の長さ方向（軸線方向）における中間部分に設けられていることが好ましい。これにより、筒材１３２の筒状部１３２ａのうち突起の先端を突出させるために移動する部分、すなわち、筒材１３２の変形部１３２ｂより上の先端側部分１３２ａ′が、図４に示した変形部１３２ｂが筒材１３２の根元に設けられている場合に比べて軸線方向に短くなる。このため、突起の先端を筒材１３２から突出させる際における筒材１３２と突起との摩擦力が低減されるので、犯人が器具を掴んだときに、より確実に突起の先端を突出させることができる。
【００２８】
この場合において、図５（ｂ）に示すように、筒材１３２は、その先端側部分１３２ａ′の内径をφ１とし、基端側部分１３２ａ”の内径をφ２とすると、φ１＞φ２であることが望ましい。これにより、突起１１１ａ、１２１ａ、１２２ａに対する筒材１３２の装着力（装着圧力）が、先端側部分１３２ａ′では弱くなるとともに、基端側部分１３２ａ”では強くなる。このため、先端側部分１３２ａ′を基端側部分１３２ａ”に比べて容易に摺動させることができるとともに、基端側部分１３２ａ”を先端側部分１３２ａ′に比べて強固に突起に固定させることができる。したがって、突起の先端を確実に筒材１３２から突出させることができると同時に、筒材１３２を突起から外れ難くすることができる。
なお、上記の構成例では、筒材の先端側部分と基端側部分の内径を異ならせたが、その代わりに、突起１１１ａの先端側部分の外径を基端側部分の外径よりも小さくしてもよい。すなわち、結果的に、筒材の先端側部分における突起に対する装着圧力が、筒材の基端側部分における突起に対する装着圧力よりも小さくなるように構成されていればよい。
【００２９】
本実施形態においては、図７に示すように使用者Ａが犯人Ｂの胴部に捕捉器具１００の捕捉部１２０を押し付けたとき、犯人Ｂが捕捉部１２０や軸部１１０の先端側部分１１０Ａを把持して振り回そうとしても、上記ピン１１１，１２１，１２２によって構成される外側突起１１１ａ，１２１ａ，１２２ａによって強く掴むことができないので、犯人Ｂの抵抗を弱めることができる。ここで、突起１１１ａの形成される先端側部分１１０Ａの長さは、捕捉部１２０で平均的な体格の人を押え付けたときに、その人の手が届く範囲を越えるように設定されることが望ましい。
【００３０】
また、捕捉部１２０の湾曲形状の内側に突設された内側突起１２１ｂは、犯人Ｂの腕や胴を傷付けない程度に食い込むので、犯人Ｂの反抗意欲を削ぐ効果が得られる。内側突起１２１ｂは犯人Ｂの皮膚に食い込むとともに、犯人Ｂが抵抗すると内側突起１２１ｂの位置が変わるため、犯人Ｂに苦痛を与える。また、捕捉部１２０の内側にも突起が設けられているため、使用前においてこれを見た犯人Ｂに恐れを抱かせる効果もある。
【００３１】
図６は、軸部１１０に対する放射装置１１３の取付状態を示す部分側面図である。放射装置１１３は、その放射方向が上記捕捉部１２０に向いているものの、軸部１１０の軸線方向に対して僅かに上方に傾斜している。すなわち、捕捉部１２０の湾曲形状が含まれる平面を水平面とするように配置した場合、放射装置１１３の放射方向は捕捉部１２０のやや上方に向くように傾斜している。この傾斜角θは、通常５〜３０度の範囲内である。また、放射装置１１３の放射方向は、捕捉部１２０の上方約２０〜５０ｃｍの範囲内を向くように構成されていることが好ましい。
【００３２】
放射装置１１３は、図７に示すように、この捕捉器具１００を用いて使用者Ａが犯人Ｂを捕捉しようとする場合、捕捉部１２０を犯人Ｂの胴部に押し当てたとき、放射装置１１３が気体、液体、粉体等の有体物を放射するものである場合（ガス、液体、粉体の噴射装置である場合）には、その放射方向が捕捉部１２０の上方約１０〜３０ｃｍの範囲内に向くように構成されることが好ましい。このようにすると、犯人Ｂの頸部、胸部、胴部の範囲内に有体物が噴射されるため、顔面部に有体物が当たって犯人Ｂに過剰な危害を与えるといった事態を回避できるとともに、催涙ガス等の刺激物であれば頸部から胴部にかけて放射することによってその有効成分が間接的に顔面部に作用するために充分な効果を発揮することができる。
【００３３】
また、放射装置１１３が光や音などの無体物を放射するものである場合（ランプやブザーなどである場合）には、その放射方向が捕捉部１２０の上方約３０〜５０ｃｍの範囲内に向くように構成されることが好ましい。このようにすると、犯人Ｂの顔面部に向けて光や音などの無体物が直接に放射されることとなるので、これらによる幻惑効果や威嚇効果を充分に発揮することができる。
【００３４】
尚、本発明の捕捉器具は、上述の図示例にのみ限定されるものではなく、本発明の要旨を逸脱しない範囲内において種々変更を加え得ることは勿論である。例えば、上記捕捉器具においては、軸部１１０、捕捉部１２０及びピン１１１，１２１，１２２が全てアルミニウム或いはアルミニウム合金等で構成されているが、他の金属や合成樹脂などで構成されていても構わない。また、捕捉部、軸部の先端側部分、或いは、突起の少なくとも一つを赤色などの警戒色等に着色することによって、危険性を強くアピールすることもできる。特に、突起を着色することによって上記筒材を装着しても突起の存在を強く印象付けることができる。さらに、軸部の後端部近傍に、滑りにくい素材で構成されたグリップカバーを装着してもよい。
【００３５】
【発明の効果】
以上、説明したように本発明によれば、犯人等を捕捉する場合に、犯人等の抵抗を弱めることができる。また、女性や高齢者等の腕力のない者でも容易に扱うことができる。
【図面の簡単な説明】
【図１】本発明に係る捕捉器具の実施形態の全体構成を示す概略平面図である。
【図２】同実施形態に設けられた突起に筒材を装着した状態を、筒材の突起に対する挿入深さを変えて示す概略斜視図である。
【図３】別の構造を有する筒材と突起をそれぞれ示す概略斜視図であって、透視部分を有する概略斜視図（ａ）と、別の構造を有する筒材を別の構造を有する突起に装着した状態を示す概略断面図（ｂ）である。
【図４】別の構造を有する筒材を突起に装着した状態を、筒材の伸縮態様を変えて示す概略部分断面図である。
【図５】別の構造を有する筒材を突起に装着した状態を示す概略部分断面図（ａ）及び、別の構造を有する筒材を突起に装着した状態を示す概略部分断面図（ｂ）である。
【図６】同実施形態の軸部の後端側部分を示す側面図である。
【図７】同実施形態の使用態様を示す概略説明図である。
【符号の説明】
１００・・・捕捉器具、１１０・・・軸部、１１０Ａ・・・先端側部分、１１０Ｂ・・・後端側部分、１１１・・・ピン、１１１ａ，１１１ａ′・・・突起、１１２・・・取付具、１１３・・・放射装置、１１４・・・把持部、１１５・・・把持部、１１６・・・錘、１２０・・・捕捉部、１２１，１２２・・・ピン、１２１ａ，１２１ａ′，１２２ａ，１２２ａ′・・・外側突起、１２１ｂ・・・内側突起、１３１，１３２，１３３・・・筒材、１３３ａ・・・突出部、１４０・・・凹み、１３２ａ′・・・先端側部分、１３２ａ”・・・後端側部分、φ１，φ２・・・内径
【図１】
2004028560.tif 000003
【図２】
2004028560.tif 000004
【図３】
2004028560.tif 000005
【図４】
2004028560.tif 000006
【図５】
2004028560.tif 000007
【図６】
2004028560.tif 000008
【図７】
2004028560.tif 000009